(57)【要約】【課題】  迅速に開閉可能な折り畳み傘を提供する。【解決手段】  折り畳み傘は、中央軸１に回転的に固定された骨アセンブリ２と有し、骨アセンブリ２は、上部骨２１に回転的に連結され、中央軸１に回転的に固定された伸張骨２２と、伸張骨２２と後部骨２６の間に回転的に連結された中間骨２３と、中間骨２３とスライド可能に連結され、ばね装置３を介して伸張骨２２と後部骨２６の間に弾性的に固定された弾性連結骨２４と、を有している。【選択図】            図１
0003107617.tif 000002
【実用新案登録請求の範囲】
【請求項１】
中央軸と、
前記中央軸に回転的に固定された骨アセンブリと、を有し、
当該骨アセンブリは、
前記中央軸の上部に形成される上部ノッチへ回転的に固定された上部骨と、
当該上部骨および、前記中央軸にスライド可能に保持されたランナーへ回転的に固定された伸張骨と、
当該伸張骨および、内側連結骨を介して前記上部骨のそれぞれに回転的に固定された中間骨と、
当該中間骨にスライド可能に連結された弾性連結骨と、
前記中間骨および、ジョイントを介して前記弾性連結骨のそれぞれに回転的に固定された後部骨と、を有し、
前記伸張骨はその内部に弾性的に固定されるばね装置を有し、
当該ばね装置は、その内側部が前記ランナーへ向かって内側方向に突き出して、前記伸張骨の内側または前記ランナーへ固定され、前記ばね装置の外側部が前記弾性連結骨に回転的に連結されている折り畳み傘であって、
傘を開く際に、弾性連結骨は前記伸張骨の内部の前記ばね装置により弾性的に衝撃を和らげられる内側端部を有し、
前記中間骨により保持される前記弾性連結骨は、ばねエネルギーを蓄えるために弓状に曲がり、当該ばねエネルギーが復元してジョイントを付勢し、前記後部骨を押し出し、骨アセンブリを直線的に外側方向へ広げ、迅速に開閉可能な折り畳み傘。
【請求項２】
前記伸張骨は、前記伸張骨の内側部または上側部に形成された広溝と、前記広溝と連通しており、前記伸張骨の外側部または下側部に形成された狭溝と、を有する請求項１に記載の迅速に開閉可能な折り畳み傘。
【請求項３】
前記ばね装置は、前記ランナーに近接して前記伸張骨の内部に固定される内側ばね端部を有するばねと、当該ばねの外側ばね端部に固定されるロッドと、を有し、前記ばねは前記伸張骨の内部に形成された広溝にスライド可能に保持され、前記ロッドは、前記伸張骨の内部に形成され前記広溝と連通した狭溝の内部にスライド可能に保持されている請求項１に記載の迅速に開閉可能な折り畳み傘。
【請求項４】
前記ロッドは、前記ばねと連結された内側ロッド端部と、中間骨と回転的に連結された前記伸張骨の外側端部と近接する自由外側ロッド端部と、当該ロッドの外側部から外側へ向かって突出し、前記伸張骨に刻まれたスロットを介して弾性連結骨の内側端部に回転的に連結される鉤部と、を有する請求項３に記載の迅速に開閉可能な折り畳み傘。
【請求項５】
前記中間骨は、プラスチック成形過程により形成され、前記中間骨の内側部および外側部のそれぞれに内側リテイナーおよび外側リテイナーを有し、前記中間骨の内部に凹部として形成された主溝の内部に前記弾性連結骨を制限して、前記弾性連結骨を前記中間骨にスライド可能に連結する請求項１に記載の迅速に開閉可能な折り畳み傘。
【請求項６】
前記中間骨は、当該中間骨の内側部または下側部に凹部として形成された前記主溝と、前記伸張骨の外側部または上側部に凹部として形成された浅溝と、伸張骨と内側連結骨に近接した前記主溝の内部に形成された前記内側リテイナーと、後部骨を前記弾性連結骨および前記中間骨に回転的に連結するジョイントに近接した主溝の内部に形成された前記外側リテイナーと、を有する請求項５に記載の迅速に開閉可能な折り畳み傘。
【請求項７】
前記ジョイントは、第１ピボットにより前記中間骨の外側端部に回転的に固定された回転部と、後部骨が固定されており、第２ピボットにより前記弾性連結骨の外側端部に回転的に固定された付勢部と、を有する請求項１に記載の迅速に開閉可能な折り畳み傘。
【請求項８】
前記ジョイントはＰ字型に形成され、傘が開いているときに、前記中間骨の外側部の上側に形成されたリテイナープレートにより上方向が保持される平坦縁部と、傘が閉じているときに、前記弾性連結骨の外側端部を収容するために前記平坦縁部に形成された浅凹部と、を有する請求項７に記載の迅速に開閉可能な折り畳み傘。
【請求項９】
前記弾性連結骨は、当該弾性連結骨の内側部と外側部が、前記中間骨のそれぞれ反対側端部に形成された内側リテイナーと外側リテイナーにより制限されており、
傘を開くときに前記弾性連結骨の外側部が動作可能なように曲げられ、当該弾性連結骨の外側部のばねエネルギーが蓄えられ、前記ジョイントを弾性的に付勢し、前記後部骨を外側方向に広げて直線的な骨アセンブリを形成し、傘を迅速に開く請求項８に記載の迅速に開閉可能な折り畳み傘。
【請求項１０】
前記伸張骨は、傘が閉じているときに上部骨と内側連結骨が動作可能なように嵌合する広溝と、前記中間骨の内部に凹部として形成された主溝に、動作可能なように嵌合される前記伸張骨の狭溝部と、を有する請求項２に記載の迅速に開閉可能な折り畳み傘。
【請求項１１】
前記弾性連結骨は、前記ジョイントの前記第１ピボットと第２ピボットを直線的に連結する連結線Ｌ２と一直線にならない軸線Ｌ１を定義し、傘を閉じるときに骨アセンブリを折り畳む際に、弾性連結骨の外側端部がジョイントの付勢部を反時計回りに押し、傘を閉じるために後部骨と骨アセンブリを縮める請求項７に記載の迅速に開閉可能な折り畳み傘。
【請求項１２】
前記ばね装置は、伸張骨の内部に形成された溝の内部にスライド可能に保持されており、当該ばね装置は、ランナーの方向へ内側を向いており伸張骨の内部に固定された内側ばね端部および、伸張骨の内部の溝にスライド可能に保持されたスライド部材に固定された外側ばね端部を有するばねと、伸張骨に刻まれたスロットを通して前記スライド部材から外側へ向かって突き出し、弾性連結骨の内側端部と連結される鉤部と、を有する請求項１に記載の迅速に開閉可能な折り畳み傘。
【考案の詳細な説明】
【技術分野】
【０００１】
本考案は、迅速に開閉可能な折り畳み傘に関する。
【背景技術】
【０００２】
従来の折り畳み傘は、その上に取り付けられる傘地を有し、少なくとも１つの上部骨を備える骨アセンブリと、互いに回転的に連結され、中央軸へ回転的に固定された中間骨および後部骨と、を有している。
【考案の開示】
【考案が解決しようとする課題】
【０００３】
しかしながら、従来の傘を開閉するときには、後部骨はさらに傘地を開閉することを補助するために使用者の手により引っ張られ、または折り畳まれる。従来の折り畳み傘は、傘を開くときに骨アセンブリの後部骨を自動的に外側へ押し出すための、または傘を閉じるときに後部骨を内側へ自動的に引き込むための機構が欠けている。
【０００４】
本考案は、これらの欠点を見出し、迅速に開閉されるような折り畳み傘を発明した。
【課題を解決するための手段】
【０００５】
上記目的を達成するための本考案は、中央軸に回転的に固定された骨アセンブリを有し、骨アセンブリは、上部骨に回転的に連結され、中央軸に回転的に固定された伸張骨と、伸張骨と後部骨の間に回転的に連結された中間骨と、中間骨とスライド可能に連結され、ばね装置を介して伸張骨と後部骨の間に弾性的に固定された弾性連結骨と、を有する折り畳み傘である。
【考案の効果】
【０００６】
上記のように構成した本考案によれば、弾性連結骨は、後部骨を外側に自動的に押し出すために弓状に曲げられているため、傘を開くときに使用者の手により手動で引っ張らずに傘を迅速に開くことができ、傘を閉じるときには、傘の折り畳みを促進させるために、傘を開いたときに弾性力を蓄えることにより予め張力が与えられたばね装置が、骨アセンブリを復元させて骨アセンブリを縮める。
【考案を実施するための最良の形態】
【０００７】
以下、本考案の実施の形態を、図面を参照しつつ説明する。
【０００８】
図１は本考案の折り畳まれた傘を示す図、図２は図１の２−２線に沿う本考案の断面図、図３は図１の３−３線に沿う断面図、図４は図１の４−４線に沿う断面図、図５は本考案に係るばね装置の部分拡大図である。
【０００９】
図６は本考案に係る傘が略完全に開いた状態を示す図、図７は図６の拡大図であり、本考案に係る弾性連結骨の内側部の、他の骨との関係を示し、図８は図６の拡大図であり、本考案に係る弾性連結骨の外側部の、他の骨との関係を示し、図９は図６に従い、本考案に係る傘が完全に開いた際の図、図１０は図９の拡大図であり、本考案に係る弾性連結骨の内側部の、他の骨との関係を示し、図１１は図９の拡大図であり、本考案に係る弾性連結骨の外側部の、他の骨との関係を示す。
【００１０】
図１〜１１に示すように、本考案は、中央軸１と、中央軸１に回転的に固定されており傘地Ｃが上に取り付けられている折り畳み式の骨アセンブリ２と、を有している。
【００１１】
骨アセンブリ２は、中央軸１の上部に形成された上部ノッチ２０へ回転的に固定される上部骨２１と、中央軸１上にスライド可能に保持されたランナー２０ｒへ回転的に固定された伸張骨２２と、上部骨２１に内側連結骨２５を介して回転的に固定される最内端部２３１を有するとともに、伸張骨２２の外端部へ回転的に固定される中間骨２３の（最内端部２３１に近接した）内側骨部２３２を有する中間骨２３と、中間骨２３へスライド可能に連結される弾性連結骨２４と、中間骨２３の外側端部２３３と弾性連結骨２４の外側端部２４２へジョイント２７を介してそれぞれに回転的に固定される後部骨２６と、を有している。
【００１２】
ここで、内側とは中央軸１の中心軸に近い側であり、外側とは中央軸１の半径方向側を意味している。
【００１３】
例示される本考案は三つ折りの傘であるが、しかし、本考案において折り畳みの数は制限されない。
【００１４】
伸張骨２２は、当該伸張骨２２の上側（または内側）部に形成された広溝２２ｗと、広溝２２ｗと連通しており、骨の下側（または外側）部に形成された狭溝２２ｎとを有する。
【００１５】
ばね装置３は、伸張骨２２にスライド可能に保持されている。ばね装置３は、伸張骨２２の内側端部またはランナー２０ｒへ固定される内側ばね端部３１１を有するばね３１と、ばね３１の外側ばね端部３１２へ固定されるロッド３２と、を有している。
【００１６】
ばね３１は広溝２２ｗにスライド可能に保持され、ロッド３２（またはロッド３２の主要部）は狭溝２２ｎへスライド可能に保持される。
【００１７】
ロッド３２は、ばね３１の外側ばね端部３１２と連結された内側ロッド端部３２１と、伸張骨２２の外側端部と近接し中間骨２３の内側骨部２３２と近接する自由外側ロッド端部３２２と、伸張骨２２の下部に刻まれたスロット２２ｓを通ってロッド３２の外側ロッド部から外向きに突き出し、弾性連結骨２４の内側端部２４１へ連結される鉤部３２３と、を有している。
【００１８】
中間骨２３は、射出成形過程のように、プラスチック材料（強化プラスチックや複合材料を含む）により作られることができ、中間骨２３の（内側骨部２３２に近接した）内側部および（外側端部２３３に近接した）外側部に配置される内側リテイナー２３ａおよび外側リテイナー２３ｂを有しているため、中間骨２３の下側（または内側）部に形成される主溝２３ｉの内部に弾性連結骨２４を制限して、弾性連結骨２４を中間骨２３にスライド可能に連結させる。
【００１９】
中間骨２３は、傘を折り畳むときに、伸張骨２２（特に狭溝２２ｎが形成される部位）が嵌るように対応する、骨２３の下部または内側部に形成された主溝２３ｉを有し、また傘を閉じるときに後部骨２６が嵌るように対応する、骨２３の外側部に凹部として設けられた浅溝２３ｔを有している。
【００２０】
後部骨２６の内側端部２６１に固定されるジョイント２７は、第１ピボット２７２ｐにより中間骨２３の分岐外側端部２３３に回転的に連結される回転部２７２と、第２ピボット２７１ｐにより弾性連結骨２４の外側端部２４２へ回転的に連結される付勢部２７１と、を有している。
【００２１】
ジョイント２７は、Ｐ字型の構造にするために一体形成過程により形成されえる。ジョイント２７は、図１１に示されるように、傘を開くときに中間骨２３の上側部に形成されるリテイナープレート２３ｐにより保持されるための平坦縁部２７０を有し、そして、図１に示すように、傘を閉じたときに弾性連結骨２４の外側端部２４２を収容するために平坦縁部２７０に形成される浅凹部２７０ｒを有している。
【００２２】
図９，１１に示されるように、弾性連結骨２４は、直線的な線形構造ではなく、前記ジョイントの前記第１ピボット２７２ｐと第２ピボット２７１ｐを直線的に連結する連結線Ｌ２と一直線にならない軸線Ｌ１を定義し、したがって傘を閉じるときに骨アセンブリを折り畳む際に、弾性連結骨２４の外側端部２４２がジョイント２７の付勢部２７１を反時計回りに押し、図９，１１から図６，８を通って最後に図１まで傘を閉じるために、後部骨２６および他の骨を縮める。他方で、もし軸線Ｌ１と連結線Ｌ２が一直線になれば、骨は付勢されず、折り畳まれず、そして閉じられない。
【００２３】
本考案に係る傘を図１から図６，９まで開くとき、ランナー２０ｒは、図６に示されるように、ほぼ線形の構成となるように骨アセンブリ２の各骨を広げるために（特に、骨２１，２２，２３および２５からなる平行四辺形のリンクセットを広げるために）上昇する。同時に、弾性連結骨２４は、ばね装置３に固定された内側端部２４１を有しており、伸張骨２２に保持されたばね装置３により弾性的に衝撃を和らげられ、傘を開くための動作を滑らかにし、骨の間で生じるノイズをできるだけ防止するための弾性的な緩衝作用を達成する。
【００２４】
そして、弾性連結骨２４は弾性力を蓄えるために弓状に曲げられ、その内で、弾性連結骨２４の外側端部２４２も同時に、ばねのエネルギーを得るために弓状となる。
【００２５】
ばねエネルギー、特に弾性連結骨２４の外側端部２４２に存在するばねエネルギーは、徐々に復元してジョイント２７および後部骨２６を自動的に、そして迅速に付勢し、ジョイント２７および後部骨２６を図９〜１１（特に図６〜９）に示されるように直線的に位置させ、傘を完全に開く。
【００２６】
後部骨２６に固定される傘地Ｃは、傘を自動的に開くことにより、同時に外側へ広げられる。
【００２７】
したがって、傘を完全に開くために（特に後部骨２６上の）傘地を、使用者の手で手動で引っ張る必要がなく、それにより、従来の折り畳み傘よりも優れている。
【００２８】
ランナー２０ｒが傘を完全に開くために最上部へ上昇するとき、ばね装置３のばね３１はその弾性力を蓄えるために張力がかけられる。傘を閉じる際、ばね３１の弾性力は、傘を迅速に閉じるために骨アセンブリ３の骨を縮める補助をする。閉じるための作業体系は、傘を開くための段階を逆にすることによる”逆手順”である（すなわち、図９から図６を通って図１）。
【００２９】
中間骨２３の反対側端部にそれぞれ配置される内側リテイナー２３ａと外側リテイナー２３ｂは、弾性連結骨２４を中間骨２３の溝内に制限する機能に加え、中間骨２３の強度を高めるための補強部材としての機能を果たす。
【００３０】
傘を閉じる際（図１）に骨アセンブリ２を折り畳む場合、上部骨２１と内側連結骨２５は伸張骨２２の広溝２２ｗの中へ収容され（そして嵌合し）、狭溝２２ｎ部は、折り畳み時の容積を最小化するために中間骨２３の主溝２３ｉの中へ収容される（そして嵌合する）。
【００３１】
したがって、骨は、”ボールとソケット”の仕組みのように、対応する骨が前述の嵌合により案内されて傘を閉じるとき、互いに安定して嵌合する。したがって、骨は捩れたり変形することなく、このような嵌合により初期状態へ案内されるように円滑に広げられ、傘を迅速に開く補助となる。
【００３２】
それゆえ、本考案は傘を迅速に、滑らかに、そして便利に開くことができ、または閉じる作業を可能とする。
【００３３】
図１２は本考案に係る別の実施形態に係る傘が開いた際の図である。
【００３４】
図１２には、本考案の他の望ましい実施形態が、前述のばね装置３を変更して開示されている。
【００３５】
伸張骨２２の溝２２０に回転的に保持されるばね装置３は、ランナー２０ｒに向かって内側を向いて伸張骨２２の内部に固定された内側ばね端部３１１ａ、および伸張骨２２の溝２２０の内部にスライド可能に保持されたスライド部材３２ａに固定された外側ばね端部３１２ａを有するばね３１ａと、弾性連結骨２４の内側端部２４１に連結されるために伸張骨２２に刻まれたスロット２２ｓを通して外方向へ突き出している鉤部３２３ａと、を有している。
【００３６】
本考案は、傘を迅速に開く機能に加え、傘を開くときにばね装置３はそのばねのエネルギーを蓄え、このエネルギーが傘を元の状態に折り畳む補助をする。すなわち、傘を開く手順を逆にして、傘を折り畳む手順となる逆作業の補助をする。
【００３７】
傘地Ｃも同時に使用者の手の補助なしに折り畳まれ、コンパクトに折り畳まれた傘となる。
【００３８】
本考案は、上述した実施の形態に限定されるものではなく、実用新案登録請求の範囲の範囲内で種々改変することができる。
【図面の簡単な説明】
【００３９】
【図１】本考案の折り畳まれた傘を示す図である。
【図２】図１の２−２線に沿う本考案の断面図である。
【図３】図１の３−３線に沿う断面図である。
【図４】図１の４−４線に沿う断面図である。
【図５】本考案に係るばね装置の部分拡大図である。
【図６】本考案に係る傘が略完全に開いた状態を示す図である。
【図７】図６の拡大図であり、本考案に係る弾性連結骨の内側部の、他の骨との関係を示す。
【図８】図６の拡大図であり、本考案に係る弾性連結骨の外側部の、他の骨との関係を示す。
【図９】図６に従い、本考案に係る傘が完全に開いた際の図である。
【図１０】図９の拡大図であり、本考案に係る弾性連結骨の内部の、他の骨との関係を示す。
【図１１】図９の拡大図であり、本考案に係る弾性連結骨の外部の、他の骨との関係を示す。
【図１２】本考案に係る別の実施形態に係る傘が開いた際の図である。
【符号の説明】
【００４０】
１  中央軸、
２  骨アセンブリ、
３  ばね装置、
２０  上部ノッチ、
２０ｒ  ランナー、
２１  上部骨、
２２  伸張骨、
２２ｎ  狭溝、
２２ｗ  広溝、
２３  中間骨、
２３ａ  内側リテイナー、
２３ｂ  外側リテイナー、
２３ｉ  主溝、
２３ｐ  リテイナープレート、
２３ｔ  浅溝、
２４  弾性連結骨、
２５  内側連結骨、
２６  後部骨、
２７  ジョイント、
３１  ばね、
３２  ロッド、
３２ａ  スライド部材、
２４１  内側端部、
３１１  内側ばね端部、
３１２  外側ばね端部、
３２１  内側ロッド端部、
３２２  自由外側ロッド端部、
２２ｓ  スロット、
３２３  鉤部、
２７０  平坦縁部、
２７０ｒ  浅凹部、
２７１  付勢部、
２７１ｐ  第２ピボット、
２７２ｐ  第一ピボット、
２７２  回転部、
Ｌ１  軸線、
Ｌ２  連結線。
【図１】
0003107617.tif 000003
【図２】
0003107617.tif 000004
【図３】
0003107617.tif 000005
【図４】
0003107617.tif 000006
【図５】
0003107617.tif 000007
【図６】
0003107617.tif 000008
【図７】
0003107617.tif 000009
【図８】
0003107617.tif 000010
【図９】
0003107617.tif 000011
【図１０】
0003107617.tif 000012
【図１１】
0003107617.tif 000013
【図１２】
0003107617.tif 000014